【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
高ダイナミックレンジ(HDR)画像処理のためのマシンによって実施される方法であって、
セットの入力画像を受け取るステップであって、前記セットの入力画像のうちの各入力画像は、それぞれのHDRマージ加重を有するステップと、
前記セットの入力画像に基づいて、動きが存在する領域を分離する境界を各々が有する1つまたは複数の動く構成要素を決定するステップと、
前記1つまたは複数の動く構成要素の各動く構成要素に関して、前記セットの入力画像から1つまたは複数の基準画像を選択するステップであって、前記1つまたは複数の基準画像は、各動く構成要素に関して独立に選択されるステップと、
1つまたは複数の基準画像の各々に関して、それぞれのゴースト最適化されたマージ加重を決定するステップと、
前記セットの入力画像をマージすることによってHDR出力画像を作成するステップであって、前記マージすることは、各動く構成要素の前記境界外のピクセルに関して、前記それぞれのHDRマージを使用し、それぞれの動く構成要素の前記境界内のピクセルに関して、前記それぞれのHDRマージ加重の代わりに前記それぞれのゴースト最適化されたマージ加重を使用するステップとを備えるマシンによって実施される方法。
【請求項２】
前記セットの入力画像をマージすることは、前記セットの入力画像の加重平均を使用して、前記セットの入力画像のうちのいずれか1つからのダイナミックレンジを拡大しながら、前記HDR出力画像の動きゴーストアーティファクトを低減する請求項1に記載のマシンによって実施される方法。
【請求項３】
前記それぞれのHDRマージ加重は、入力画像をマージして前記HDR出力画像にするために最適化されたベースラインマージ加重であり、前記それぞれのゴースト最適化されたマージ加重は、マージして前記HDR出力画像にすると、動きゴーストアーティファクトを低減するように前記それぞれのHDRマージ加重を変更する請求項1に記載のマシンによって実施される方法。
【請求項４】
前記セットの入力画像からの入力画像のクロマと照度のうちの一方または両方を前記HDR出力画像に適合させるステップをさらに備える請求項1に記載のマシンによって実施される方法。
【請求項５】
適合させる前記ステップは、
前記HDR出力画像と入力画像との差分画像をぼやけさせることによってオフセット画像を作成するステップと、
前記オフセット画像を前記入力画像に足して、画像のアーティファクトのない組合せを作成するステップとをさらに備える請求項4に記載のマシンによって実施される方法。
【請求項６】
前記差分画像は、前記HDR出力画像内の各ピクセルと、前記入力画像内の各ピクセルとの間の差を決定することによって作成される請求項5に記載のマシンによって実施される方法。
【請求項７】
画像処理のための装置であって、
セットの入力画像を受け取るための手段であって、前記セットの入力画像のうちの各入力画像は、それぞれの高ダイナミックレンジ(HDR)マージ加重を有する手段と、
前記セットの入力画像に基づいて、動きが存在する領域を分離する境界を各々が有する1つまたは複数の動く構成要素を決定するための手段と、
前記1つまたは複数の動く構成要素の各動く構成要素に関して、前記セットの入力画像から1つまたは複数の基準画像を選択するための手段であって、前記1つまたは複数の基準画像は、各動く構成要素に関して独立に選択される手段と、
前記1つまたは複数の基準画像の各々に関して、それぞれのゴースト最適化されたマージ加重を決定するための手段と、
前記セットの入力画像をマージすることによってHDR出力画像を作成するための手段であって、前記マージすることは、各動く構成要素の前記境界外のピクセルに関して、前記それぞれのHDRマージを使用し、それぞれの動く構成要素の前記境界内のピクセルに関して、前記それぞれのHDRマージ加重の代わりに前記それぞれのゴースト最適化されたマージ加重を使用する手段とを備える装置。
【請求項８】
前記セットの入力画像をマージすることは、前記セットの入力画像の加重平均を使用して、前記セットの入力画像のうちのいずれか1つの画像からのダイナミックレンジを拡大しながら、前記HDR出力画像の動きゴーストアーティファクトを低減する請求項7に記載の装置。
【請求項９】
前記それぞれのHDRマージ加重は、入力画像をマージして前記HDR出力画像にするために最適化されたベースラインマージ加重であり、前記それぞれのゴースト最適化されたマージ加重は、マージして前記HDR出力画像にすると、動きゴーストアーティファクトを低減するように前記それぞれのHDRマージ加重を変更する請求項7に記載の装置。
【請求項１０】
前記セットの入力画像からの入力画像のクロマと照度のうちの一方または両方を前記HDR出力画像に適合させるための手段をさらに備える請求項7に記載の装置。
【請求項１１】
適合させるための前記手段は、
前記HDR出力画像と前記入力画像との差分画像をぼやけさせることによってオフセット画像を作成するための手段と、
前記オフセット画像を前記入力画像に足して、画像のアーティファクトのない組合せを作成するための手段とをさらに備える請求項10に記載の装置。
【請求項１２】
前記差分画像は、前記HDR出力画像内の各ピクセルと、前記入力画像内の各ピクセルとの間の差を決定することによって作成される請求項11に記載の装置。
【請求項１３】
画像処理のためのデータ処理デバイスであって、
プロセッサと、
前記プロセッサに結合されたストレージデバイスであって、前記プロセッサによって実行されると、前記プロセッサに、
セットの入力画像を受け取ることであって、前記セットの入力画像のうちの各入力画像は、それぞれの高ダイナミックレンジ(HDR)マージ加重を有することと、
前記セットの入力画像に基づいて、動きが存在する領域を分離する境界を各々が有する1つまたは複数の動く構成要素を決定することと、
前記1つまたは複数の動く構成要素の各動く構成要素に関して、前記セットの入力画像から1つまたは複数の基準画像を選択することであって、前記1つまたは複数の基準画像は、各動く構成要素に関して独立に選択されることと、
1つまたは複数の基準画像の各々に関して、それぞれのゴースト最適化されたマージ加重を決定することと、
前記セットの入力画像をマージすることによってHDR出力画像を作成することであって、前記マージすることは、各動く構成要素の前記境界外のピクセルに関して、前記それぞれのHDRマージを使用し、それぞれの動く構成要素の前記境界内のピクセルに関して、前記それぞれのHDRマージ加重の代わりに前記それぞれのゴースト最適化されたマージ加重を使用することとを行わせる命令を記憶するために構成可能なストレージデバイスとを備えるデータ処理デバイス。
【請求項１４】
前記セットの入力画像をマージすることは、前記セットの入力画像の加重平均を使用して、前記セットの入力画像のうちのいずれか1つの画像からのダイナミックレンジを拡大しながら、前記HDR出力画像の動きゴーストアーティファクトを低減する請求項13に記載のデータ処理デバイス。
【請求項１５】
前記それぞれのHDRマージ加重は、入力画像をマージして前記HDR出力画像にするために最適化されたベースラインマージ加重であり、前記それぞれのゴースト最適化されたマージ加重は、マージして前記HDR出力画像にすると、動きゴーストアーティファクトを低減するように前記それぞれのHDRマージ加重を変更する請求項13に記載のデータ処理デバイス。
【請求項１６】
前記命令は、
前記セットの入力画像からの入力画像のクロマと照度のうちの一方または両方を前記HDR出力画像に適合させる命令をさらに備える請求項13に記載のデータ処理デバイス。
【請求項１７】
適合させる前記命令は、
前記HDR出力画像と前記入力画像との差分画像をぼやけさせることによってオフセット画像を作成する命令と、
前記オフセット画像を前記入力画像に足して、画像のアーティファクトのない組合せを作成する命令とをさらに備える請求項16に記載のデータ処理デバイス。
【請求項１８】
前記差分画像は、前記HDR出力画像内の各ピクセルと、前記入力画像内の各ピクセルとの間の差を決定することによって作成される請求項17に記載のデータ処理デバイス。
【請求項１９】
データ処理デバイスに高ダイナミックレンジ(HDR)画像処理を実行させる実行可能プログラム命令を包含するマシン可読の非一時的記憶媒体であって、前記実行可能プログラム命令は、
セットの入力画像を受け取るステップであって、前記セットの入力画像のうちの各入力画像は、それぞれのHDRマージ加重を有するステップと、
前記セットの入力画像に基づいて、動きが存在する領域を分離する境界を各々が有する1つまたは複数の動く構成要素を決定するステップと、
前記1つまたは複数の動く構成要素の各動く構成要素に関して、前記セットの入力画像から1つまたは複数の基準画像を選択するステップであって、前記1つまたは複数の基準画像は、各動く構成要素に関して独立に選択されるステップと、
1つまたは複数の基準画像の各々に関して、それぞれのゴースト最適化されたマージ加重を決定するステップと、
前記セットの入力画像をマージすることによってHDR出力画像を作成するステップであって、前記マージすることは、各動く構成要素の前記境界外のピクセルに関して、前記それぞれのHDRマージ加重を使用し、それぞれの動く構成要素の前記境界内のピクセルに関して、前記それぞれのHDRマージ加重の代わりに前記それぞれのゴースト最適化されたマージ加重を使用するステップとを備えるマシン可読の非一時的記憶媒体。
【請求項２０】
前記セットの入力画像をマージすることは、前記セットの入力画像の加重平均を使用して、前記セットの入力画像のうちのいずれか1つの画像からのダイナミックレンジを拡大しながら、前記HDR出力画像の動きゴーストアーティファクトを低減する請求項19に記載のマシン可読の非一時的記憶媒体。
【請求項２１】
前記それぞれのHDRマージ加重は、入力画像をマージして前記HDR出力画像にするために最適化されたベースラインマージ加重であり、前記それぞれのゴースト最適化されたマージ加重は、マージして前記HDR出力画像にすると、動きゴーストアーティファクトを低減するように前記それぞれのHDRマージ加重を変更する請求項19に記載のマシン可読の非一時的記憶媒体。
【請求項２２】
前記実行可能プログラム命令は、
前記セットの入力画像からの入力画像のクロマと照度のうちの一方または両方を前記HDR出力画像に適合させるステップをさらに備える請求項19に記載のマシン可読の非一時的記憶媒体。
【請求項２３】
適合させる前記ステップは、
前記HDR出力画像と前記入力画像との差分画像をぼやけさせることによってオフセット画像を作成するステップと、
前記オフセット画像を前記入力画像に足して、画像のアーティファクトのない組合せを作成するステップとをさらに備える請求項22に記載のマシン可読の非一時的記憶媒体。
【請求項２４】
前記差分画像は、前記HDR出力画像内の各ピクセルと、前記入力画像内の各ピクセルとの間の差を決定することによって作成される請求項23に記載のマシン可読の非一時的記憶媒体。